(57)【要約】【課題】細菌やウィルスなどの侵入、放散や花粉などの微細粉塵類の侵入を阻止することができるうえに安価に提供できる衛生マスクを提供すること。【解決手段】耳掛け部１１、１１を有するマスク本体１と、このマスク本体１の内面に当接される当て材２と、この当て材２の中間に介装される殺菌性を有する湿式フィルタシート３とよりなることを特徴とする衛生マスク。なお、殺菌性を有する湿式フィルタシート３としては、吸水性シートに竹酢酸の希釈液を含浸させたもの、特に、竹酢酸の希釈液として竹酢酸の１．５〜４％水溶液を用いることが好ましい。【選択図】　図１
2004113293.tif 000002
【特許請求の範囲】
【請求項１】
耳掛け部（１１）、（１１）を有するマスク本体（１）　と、このマスク本体（１）　の内面に当接される当て材（２）　と、この当て材（２）　の中間に介装される殺菌性を有する湿式フィルタシート（３）　とよりなることを特徴とする衛生マスク。
【請求項２】
殺菌性を有する湿式フィルタシート（３）　が、吸水性シートに竹酢酸の希釈液を含浸させたものである請求項１に記載の衛生マスク。
【請求項３】
竹酢酸の希釈液が、竹酢酸の１．５〜４％水溶液である請求項２に記載の衛生マスク。
【請求項４】
マスク本体（１）　と当て材（２）　と湿式フィルタシート（３）　が、いずれも不織布シートを素材としたものである請求項１〜３のいずれかに記載の衛生マスク。
【発明の詳細な説明】
【０００１】
【発明の属する技術分野】
本発明は主として外出時における呼吸器感染症対策として日常普通に用いられている衛生マスクに関するものである。
【０００２】
【従来の技術】
【一般文献１】平凡社百科辞典　マスク　ｍａｓｋ
【０００３】
主として外出時における呼吸器感染症対策として日常普通に用いられている衛生マスクとしては、ガーゼや木綿布などよりなる耳掛け部付きのマスク本体の内面にガーゼを折り畳んだ当て材を当接してこの当て材により外部からの細菌やウィルスなどの侵入、放散や花粉などの微細粉塵類の侵入を阻止したものを普通とするが、ガーゼを折り畳んだ当て材だけで細菌やウィルスなどの侵入、放散や花粉などの微細粉塵類の侵入を阻止することは殆どできないものであった。このため、当て材の中間に活性炭粉末を包蔵させた乾式フィルタシートを介装したものも一部に見られるが、高価となるうえに殺菌力に乏しく所期の目的は達成できないものであった。
【０００４】
【発明が解決しようとする課題】
本発明が解決しようとするところは、前記したような問題を解決し、細菌やウィルスなどの侵入、放散や花粉などの微細粉塵類の侵入を阻止することができるうえに安価に提供できる衛生マスクを提供することにある。
【０００５】
【課題を解決するための手段】
前期のような課題を解決した本発明は、耳掛け部を有するマスク本体と、このマスク本体の内面に当接される当て材と、この当て材の中間に介装される殺菌性を有する湿式フィルタシートとよりなることを特徴とする衛生マスクを基本構成とする。そして、前記したような衛生マスクにおける殺菌性を有する湿式フィルタシートとして、吸水性シートに竹酢酸の希釈液を含浸させたものを用いたものを請求項２の発明とし、この竹酢酸の希釈液を、竹酢酸の１．５〜４％水溶液としたものを請求項３の発明とし、また、前記した各発明におけるマスク本体と当て材と湿式フィルタシートの素材をいずれも不織布シートとしたものを請求項４の発明とする。
【０００６】
【発明の実施の形態】
以下、本発明の好ましい実施の形態として、図示した不織布製の衛生マスクを挙げて詳細に説明する。
１は耳掛け部１１、１１を有する不織布製のマスク本体、２はこのマスク本体１の内面に当接される不織布製の当て材、３は当て材２の中間に介装される殺菌性を有する不織布製の湿式フィルタシートである。
【０００７】
前記した不織布製のマスク本体１は、先端縁を弧状とし基端縁を直線状として裁断された厚手の不織布よりなる裁断片の基端縁にこの裁断片より薄手で触感のよい不織布よりなる耳状裁断片を溶着線１ａにおいて溶着一体化するとともにこの耳状裁断片の先端から溶着線に向けて切り込み１２を設けた不織布製シートの２枚を重ねたうえ、前記した弧状の先端縁同士を溶着線１ｂにおいて溶着することにより耳掛け部１１、１１を有するマスク本体１としたもので、常時は２枚の不織布製シートが重なり合った扁平状態をなしているが、図４に示した不織布製のマスク本体１は、長方形状で横方向に延びる複数の襞を有する不織布製シートの両側に耳掛け部１１、１１としての紐を取り付けたものとするなど、不織布製であればマスク本体１の形状は特に限定されるものではない。
【０００８】
また、前記した不織布製の当て材２は、前記した耳状裁断片と同様薄手で触感のよい不織布よりなるシート材を前記したマスク本体１の内面に当接される大きさとなるように４つ折りしたものであり、さらに、前記した殺菌性を有する不織布製の湿式フィルタシート３は、前記した当て材２よりも感触は悪いが吸水性に優れた不織布シートに竹酢酸の希釈液などの人体に無害な消毒液を含浸させて４つ折りされた当て材２の中間に介装される大きさに折り畳んだもので、この実施の態様においては、消毒液として竹酢酸の１．５〜４％水溶液を前記した不織布シートに含浸させたものを用いている。そして、この湿式フィルタシート３は、消毒液が光線により化学変化することがないようにアルミ箔で内張りした樹脂補強紙などの遮光性のある耐水性材よりなる密封袋４に包蔵された袋入り湿式フィルタシートとして、前記した扁平状態をとるマスク本体１と当て材２とともに重ねられ、透明な外装袋５に嵩張ることなく収納されて製品とされ、この状態で市販されるものとしてある。なお、前記説明では湿式フィルタシート３に人体に無害な消毒液としての竹酢酸の希釈液のみを含浸させているが、消毒液の外に人体に無害な香料や防腐剤などを含浸させておいてもよいことは勿論である。
【０００９】
このように構成されたものは、外装袋５を開いてこれに重ねられた状態で収納されているマスク本体１と当て材２と袋入り湿式フィルタシートとを取り出し、マスク本体１を構成している２枚の不織布製シート間に当て材２を介入させてマスク本体１の内面に当て材２を当接させ、次いで、袋入り湿式フィルタシートの密封袋４を破いてこれに包蔵されている殺菌性を有する湿式フィルタシート３を取り出し、これを折り畳まれた当て材２の中間に介装し、この状態で耳掛け部１１、１１を両耳に掛けてマスク本体１を着用すれば、外見上は従来の衛生マスクと同様に使用できるものであるが、本発明ではマスク本体１の内面に当接される当て材２の中間に殺菌性を有する湿式フィルタシート３を介装するようにしてあるので、湿式フィルタシート３により適度な湿気が付与された外気を吸気することとなって息苦しさがないばかりか、当て材２の中間に介装した殺菌性を有する湿式フィルタシート３が外部からマスク本体１と当て材２を通じて侵入してくる細菌やウィルス或いは花粉などの微細粉塵類を的確に阻止したり、着用者の呼気に含まれる細菌やウィルスの放散をも阻止する効果を有するので、健康上有用なものである。
【００１０】
なお、殺菌性を有する湿式フィルタシート３の種類は特に限定されるものではなく、市販の殺菌剤で処理したガーゼや不織布などでもよいが、吸水性シートとして安価なうえに取り扱いが容易な不織布シートを用いてこれに請求項２の発明のように、竹酢酸の希釈液を含浸させたものとしておけば、竹酢酸が食品衛生法上も認められているように人体に対する安全性がきわめて高いうえに花粉症対策上も好ましいものとされているので好ましく、また、竹酢酸は独特な刺激臭を有しているのでこの点を考慮して、請求項３の発明のように、竹酢酸の希釈液としては竹酢酸の１．５〜４％水溶液、特に好ましくは２〜３％水溶液を用いると、独特な刺激臭は希薄化されるので殆どの人に適用できるものとなる。さらにまた、マスク本体１と当て材２と湿式フィルタシート３との素材も特に限定されるものではないが、請求項４の発明のように、これらの素材をいずれも不織布シートとしておけば、嵩張ることがないうえに安価に量産できるので、使い捨てマスクとして使用できる程度の価格で提供できるので特に好ましい。
【００１１】
本発明は前記説明から明らかなように、耳掛け部を有するマスク本体と、このマスク本体の内面に当接される当て材と、この当て材の中間に介装される殺菌性を有する湿式フィルタシートとよりなるものであるから、細菌やウィルス等の侵入、放散や花粉などの微細粉塵類の侵入を阻止することができるうえに、殺菌性を有する湿式フィルタシートは活性炭粉末を包蔵させた乾式フィルタシートに比べて取扱いが簡単なうえに安価に量産化できて経済的にも好ましいものである。よって、本発明は従来の衛生マスクの問題点を解決したもので、量産容易で安価で提供できる利点と相俟ち業界に寄与するところ極めて大きいものがある。
【００１２】
【図面の簡単な説明】
【図１】本発明の第１の好ましい実施の形態を示す一部切欠斜視図である。
【図２】本発明の第１の好ましい実施の形態を外装袋に収容した状態において示す断面図である。
【図３】本発明の第１の好ましい実施の形態を分解して示す一部切欠斜視図である。
【図４】本発明の他の好ましい実施の形態を示す一部切欠斜視図である。
【符号の説明】
１　マスク本体
２　当て材
３　湿式フィルタシート
１１　耳掛け部
【図１】
2004113293.tif 000003
【図２】
2004113293.tif 000004
【図３】
2004113293.tif 000005
【図４】
2004113293.tif 000006